(57)【要約】      （修正有）【課題】大腸内視鏡検査の施行に際して、疼痛を大幅に減らすことを可能とする大腸内視鏡検査用補助器具を提供する。【解決手段】可撓性のある管状体からなる複数の挿入管３、９を入れ子状に配設し、その内部に従来の大腸内視鏡用検査器具１５を配設することにより、内部の挿入管９や大腸内視鏡用検査器具１５を、大腸の奥部から伸展開始させることを可能とし、検査時に大腸にかかる力、すなわち、検査器具が大腸内を通過していくときに、大腸壁に当たったりこすれたりする力を大幅に減らし、よって、疼痛を大幅に減らさせることができることを最も大きな特徴とする。【選択図】図１
0003218471.tif 000002
【実用新案登録請求の範囲】
【請求項１】
可撓性のある管状体からなる第１の挿入管と、前記第１の挿入管内に配設される、可撓性のある管状体からなる第２の挿入管とで構成され、前記第２の挿入管の内部に従来の大腸内視鏡用検査器具を配設した大腸内視鏡検査用補助器具。
【請求項２】
前記第２の挿入管の内部に、さらに単数又は複数の可撓性のある管状体からなる挿入管を入れ子状に配設した請求項１に記載の大腸内視鏡検査用補助器具。
【考案の詳細な説明】
【技術分野】
【０００１】
本考案は、大腸内視鏡検査用補助器具に関するものである。本考案による大腸内視鏡検査用補助器具は、大腸内視鏡検査の際に使用する。
【背景技術】
【０００２】
大腸内視鏡検査は、手で内視鏡を押し込みながら大腸内に挿入して行われている。最近では、内視鏡の挿入部の硬さを術者が操作できる機能をもった内視鏡が利用されている。内視鏡操作部にあるノブを操作することにより、スコープの内部のコイルを伸縮させ、スコープの硬さを調節している。また、磁気を利用して3次元的にスコープの挿入状態を確認しつつ内視鏡を挿入している。
【０００３】
しかし、この方法では、大腸の湾曲部などを通過する際に大腸壁に当たり、こすれたりすることにより、大腸が伸びたり捻じれたりするため、疼痛をおこさせるという問題があった。
【考案の概要】
【考案が解決しようとする課題】
【０００４】
大腸は、直腸、S状結腸、下行結腸、横行結腸、上行結腸からなるが、上行結腸と下行結腸で腹壁に固定されており、S状結腸と横行結腸は遊離している。よって、大腸が伸びたり捻じれたり疼痛を発生させるのは主にS状結腸と横行結腸を通過するときとなる。従来の技術では、大腸の湾曲部などを通過する際に大腸壁に当たり、こすれたりすることにより、大腸が伸びたり捻じれたりするため、疼痛をおこさせていた。
【０００５】
本考案は、可撓性のある管状体からなる複数の挿入管を入れ子状に配設し、その内部に大腸内視鏡を配設することにより、上記こすれが発生することを防ぎ、よって、疼痛を大幅に減らさせることができることを最も大きな特徴とする。
【課題を解決するための手段】
【０００６】
本考案は、上記課題を解決するために、下記の大腸内視鏡検査用補助器具を提供するものである。
【０００７】
請求項１の考案に係る大腸内視鏡検査用補助器具は、可撓性のある管状体からなる第１の挿入管と、前記第１の挿入管内に配設される、可撓性のある管状体からなる第２の挿入管とで構成され、前記第２の挿入管の内部に従来の大腸内視鏡用検査器具を配設した大腸内視鏡検査用補助器具である。
【０００８】
請求項２の考案に係る大腸内視鏡検査用補助器具は、前記第２の挿入管の内部に、さらに単数又は複数の可撓性のある管状体からなる挿入管を入れ子状に配設した請求項１に記載の大腸内視鏡検査用補助器具である。
【考案の効果】
【０００９】
本考案に係る大腸内視鏡検査用補助器具は、可撓性のある管状体からなる複数の挿入管を入れ子状に配設し、その内部に従来の大腸内視鏡用検査器具を配設することにより、内部の挿入管や大腸内視鏡用検査器具を、大腸の奥部から伸展開始させることを可能とし、検査時に大腸にかかる力、すなわち、検査器具が大腸内を通過していくときに、大腸壁に当たったりこすれたりする力を大幅に減らし、よって、疼痛を大幅に減らすことが期待される。
【図面の簡単な説明】
【００１０】
【図１】図１は本考案における大腸内視鏡検査用補助器具の実施形態を示す使用状態説明図である。
【図２】図２は本考案における大腸内視鏡検査用補助器具の正面図である。
【図３】図３は本考案における大腸内視鏡検査用補助器具の断面図である。
【図４】図４は本考案における大腸内視鏡検査用補助器具の斜視図である。
【図５】図５は本考案における大腸内視鏡検査用補助器具の連結状態を示す斜視図である。
【考案を実施するための形態】
【００１１】
本考案に係る大腸内視鏡検査用補助器具１は、可撓性のある管状体で構成された第１の挿入管３と、その内部に入れ子状に配設された、可撓性のある管状体で構成された第２の挿入管９からなり、前記第２の挿入管９の内部に、従来の大腸内視鏡用検査器具１５が挿入される。
【００１２】
第１の挿入管３は、リング部５と、リング部５の先に設けられた、大腸内に挿入される、可撓性のある管状体で構成された大腸内挿入部７とからなり、前記第２の挿入管９も、リング部１１と、リング部１１の先に設けられた、大腸内に挿入される、可撓性のある管状体で構成された大腸内挿入部１３とからなる。図２、図３、図４に示すように、前記第１の挿入管３の内部に前記第２の挿入管９が配設され、前記第２の挿入管９の内部に従来の大腸内視鏡用検査器具１５を挿入させ、それぞれを軸方向にスライド移動させることにより、前記第２の挿入管９を前記第１の挿入管３の先端から出没可能に構成されており、前記大腸内視鏡用検査器具１５を前記第２の挿入管９の先端から出没可能に構成していることを特徴としている。
【００１３】
第１の挿入管３における大腸内挿入部７は、大腸内視鏡検査の際にまず最初に大腸内に挿入され、進入していく部分である。前記大腸内挿入部７は、第２の挿入管９の大腸内挿入部１３をスライド可能に内挿することが可能なよう、管状部材で形成されている。また、大腸内挿入部７の先端部８は、図４のように先端から大腸内視鏡本体部分が出入りできるように開口していなければならない。
【００１４】
第２の挿入管９における大腸内挿入部１３も、前記第１の挿入管３における大腸内挿入部７と同様の構造となる。
【００１５】
第１の挿入管３における先端部８および、第２の挿入管９における先端部１４は、大腸内に挿入され、図１のごとく大腸内を進んでいくものである。前記先端部８および先端部１４は、丸みを帯びた形状であるべきである。これにより、大腸内に挿入された際に大腸を傷つけることなくすすむことができる。
【００１６】
第１の挿入管３、第２の挿入管９及び、大腸内視鏡用検査器具１５は、図５のごとく入れ子状に構成され、それぞれ軸方向にスライド移動可能となっているが、スライド移動時における、前記大腸内視鏡用検査器具１５の外壁周面と第２の挿入管９の内壁周面との摩擦、および、前記第２の挿入管９の外壁周面と前記第１の挿入管３の内壁周面との摩擦を軽減すべく、潤滑剤を使用することもできる。
【００１７】
大腸内視鏡用検査器具１５は、近位端側の操作で内視鏡の遠位端の向きを自在に変更可能であるものが主流である。本考案における第１の挿入管３の先端部８および、第２の挿入管９における先端部１４は軟性素材で構成されており、大腸内視鏡用検査器具１５の先端部分の動きに合わせてその向きを変えることができる。
【００１８】
第１の挿入管３の大腸内挿入部７およびその先端部８、第２の挿入管９の大腸内挿入部１３およびその先端部１４は、生体適合性に優れたものであり、また、柔軟性、可撓性を有する素材で形成されるべきであり、例えば、シリコン素材、塩化ビニル、ゴム、ポリエチレン等を用いることができる。柔軟性と可撓性を有する素材で形成されることにより、被検者の大腸の形状にあわせて彎曲することができる。また、第１の挿入管３においては第２の挿入管９が、第２の挿入管９においては大腸内視鏡用検査器具１５が通りさえすればよいため、第１の挿入管３および第２の挿入管９は、例えば、複数の孔を有する網状の形状であってもよい。
【００１９】
前記第２の挿入管９は、円筒状に形成されているが、その内径は、前記大腸内視鏡用検査器具１５の外径よりも若干大きく形成されるべきである。大腸内視鏡の外径は１０〜１５ｍｍであることが一般的であることから、上記第２の挿入管９の内径は１１〜１６ｍｍであることが好ましいが、これに限定されるものではない。また、上記第２の挿入管９の外径は１３ｍｍ〜１８ｍｍであることが好ましいが、これに限定されるものではない。また、第２の挿入管９の長さは、前記大腸内視鏡用検査器具１５の長さより短ければよく、他には特に限定はない。
【００２０】
前記第１の挿入管３も、円筒状に形成されており、その内径は、前記第２の挿入管９の外径よりも若干大きく形成されるべきである。第２の挿入管９の外径は上述のごとく１３〜１８ｍｍであることが好ましいと考えられることから、第１の挿入管３の内径は１４〜１９ｍｍであることが好ましいが、これに限定されるものではない。また、第１の挿入管３の外径は１６〜２１ｍｍであることが好ましいが、これに限定されるものではない。また、第１の挿入管３の長さは、前記第２の挿入管９の長さより短ければよく、他には特に限定はない。
【００２１】
第１の挿入管３におけるリング部５は、大腸内視鏡検査の際に、前記第１の挿入管３が大腸内に完全に入り込んでしまわないようにするためのものであり、また術者は、前記リング部５を把持することにより、挿入管３を大腸の奥まで進まなくさせることもできる。リング部５は、被験者の直腸肛門部の外側に残るので、術者は大腸内視鏡検査が終了し、第１の挿入管３を大腸から引き抜く際に、前記リング部５を把持して容易に引き抜くことができる。
リング部５は前記第１の挿入管３が誤って大腸内に完全に入り込まないよう、被験者の直腸肛門部の外径より大きい径寸法で形成されていれば、とくにその大きさは指定されない。また、該リング部５は必ずしも特にその周囲に渡って均一である必要はなく、その形状はさまざまなものが考えられる。また、該リング部５は大腸内に入るものではないため、その材料は特に指定されない
【００２２】
第２の挿入管９におけるリング部１１も、前記第１の挿入管３におけるリング部５と同様である。
【符号の説明】
【００２３】
１  本考案に係る大腸内視鏡検査用補助器具３  第１の挿入管５  第１の挿入管のリング部７  第１の挿入管の大腸内挿入部８  第１の挿入管の先端部９  第２の挿入管１１  第２の挿入管のリング部１３  第２の挿入管の大腸内挿入部１４  第２の挿入管の先端部１５  大腸内視鏡用検査器具
【図１】
0003218471.tif 000003
【図２】
0003218471.tif 000004
【図３】
0003218471.tif 000005
【図４】
0003218471.tif 000006
【図５】
0003218471.tif 000007